(57)【要約】【課題】バーグラフの見栄えが良い計器装置を提供する。【解決手段】計器装置は、視認されるバーグラフ３００の基となる、バーグラフ像３１０を表示する液晶表示パネル３１と、液晶表示パネル３１から出射されるバーグラフ像３１０を表す表示光Ｌを受け、受けた表示光Ｌを導光する導光体３５と、を備え、第１の方向Ｄ１に変位するバーグラフ３００を視認させることによって計測量を報知する。導光体３５の底面の少なくとも一部には、前記底面から導光体３５に入射した表示光Ｌを、前記底面側とは反対側に反射させる反射部が形成され、前記反射部は、第２の方向Ｄ２に沿って複数配列されている。バーグラフ３００は、液晶表示パネル３１に表示されているバーグラフ像３１０よりも第２の方向Ｄ２に延びて視認される。【選択図】図３
2014048071.tif 000002
【特許請求の範囲】
【請求項１】
第１の方向に変位するバーグラフを視認させることによって計測量を報知する計器装置であって、
視認される前記バーグラフの基となる、バーグラフ像を表示する表示部と、
前記バーグラフ像を表示することによって前記表示部から出射される前記バーグラフ像を表す表示光を受け、受けた前記表示光を導光する導光体と、を備え、
前記導光体は、前記表示部側の面である底面で、前記表示光を受け、
前記底面の少なくとも一部には、前記底面から前記導光体に入射した前記表示光を、前記導光体の前記底面側とは反対側に反射させる反射部が形成され、
前記反射部は、前記第１の方向、又は、前記第１の方向と直交する第２の方向に沿って複数配列され、
前記反射部で反射し、前記導光体の前記底面側とは反対側から出射された前記表示光が前記バーグラフとして視認され、
前記反射部が前記第１の方向に沿って複数配列されている場合は、前記バーグラフが前記表示部に表示されている前記バーグラフ像よりも前記第１の方向に延びて視認され、
前記反射部が前記第２の方向に沿って複数配列されている場合は、前記バーグラフが前記表示部に表示されている前記バーグラフ像よりも前記第２の方向に延びて視認される、
ことを特徴とする計器装置。
【請求項２】
前記反射部は、前記第２の方向に沿って複数形成され、
前記導光体は、前記底面の法線方向から見て、前記表示部の前記バーグラフ像の表示領域を覆うととともに、前記表示領域の端から前記第２の方向にはみ出しており、
前記バーグラフが前記表示部に表示されている前記バーグラフ像よりも前記第２の方向にはみ出して視認される、
ことを特徴とする請求項１に記載の計器装置。
【請求項３】
前記導光体のうち、前記法線方向から見て前記表示領域を覆っている部分における前記底面と反対側には、前記底面から前記導光体に入射した前記表示光を前記第２の方向へ反射させる反射面が形成され、
前記反射部は、前記反射面で反射した前記表示光を、前記導光体の前記底面側とは反対側に反射させる、
ことを特徴とする請求項２に記載の計器装置。
【請求項４】
前記導光体のうち、前記法線方向から見て前記表示領域の端からはみ出した部分における前記底面と反対側には、傾斜面が形成され、
前記傾斜面は、前記表示領域から前記第２の方向に離れるに従って前記表示部に近づく面である、
ことを特徴とする請求項２又は３に記載の計器装置。
【請求項５】
前記反射部は、前記底面に形成された溝部であり、この溝部は、前記法線方向から見て、前記第１の方向に延びており、前記第２の方向に複数配列されている、
ことを特徴とする請求項２乃至４のいずれか１項に記載の計器装置。
【請求項６】
前記反射部は、前記底面に形成された溝部であり、この溝部は、前記底面の法線方向から見て、前記第２の方向に延びており、前記第１の方向に沿って複数配列されている、
ことを特徴とする請求項１に記載の計器装置。
【請求項７】
前記導光体と前記表示部との間に、ルーバーをさらに備え、
前記ルーバーは、前記表示部から出射され、前記ルーバーに入射した前記表示光を、前記底面の法線方向から前記第１の方向に傾かせて出射し、
前記反射部は、前記第１の方向に沿って複数配列されている、
ことを特徴とする請求項１又は６に記載の計器装置。
【発明の詳細な説明】
【技術分野】
【０００１】
本発明は、計器装置に関し、詳しくは、バーグラフによって計測量を報知する計器装置に関する。
【背景技術】
【０００２】
従来の、バーグラフによって計測量を報知する計器装置として、例えば、特許文献１に開示されているものがある。特許文献１に係る計器装置は、車両に搭載され、計測量（例えば、車両の燃料残量）を示すバーグラフを表示する液晶表示パネルと、液晶表示パネルの前面側に配置され、液晶表示パネルの可視領域を定める開口部を有する前面パネルと、を備えるものである。
【先行技術文献】
【特許文献】
【０００３】
【特許文献１】特開２００９−１７４９４４号公報
【発明の概要】
【発明が解決しようとする課題】
【０００４】
特許文献１に係る計器装置は、液晶表示パネルが表示するバーグラフをそのまま視認者に視認させるものであるため、バーグラフの表示態様が単調であり、見栄えが良くなかった。
【０００５】
本発明は、上記実情に鑑みてなされたものであり、バーグラフの見栄えが良い計器装置を提供することを目的とする。
【課題を解決するための手段】
【０００６】
上記目的を達成するため、本発明に係る計器装置は、
第１の方向に変位するバーグラフを視認させることによって計測量を報知する計器装置であって、
視認される前記バーグラフの基となる、バーグラフ像を表示する表示部と、
前記バーグラフ像を表示することによって前記表示部から出射される前記バーグラフ像を表す表示光を受け、受けた前記表示光を導光する導光体と、を備え、
前記導光体は、前記表示部側の面である底面で、前記表示光を受け、
前記底面の少なくとも一部には、前記底面から前記導光体に入射した前記表示光を、前記導光体の前記底面側とは反対側に反射させる反射部が形成され、
前記反射部は、前記第１の方向、又は、前記第１の方向と直交する第２の方向に沿って複数配列され、
前記反射部で反射し、前記導光体の前記底面側とは反対側から出射された前記表示光が前記バーグラフとして視認され、
前記反射部が前記第１の方向に沿って複数配列されている場合は、前記バーグラフが前記表示部に表示されている前記バーグラフ像よりも前記第１の方向に延びて視認され、
前記反射部が前記第２の方向に沿って複数配列されている場合は、前記バーグラフが前記表示部に表示されている前記バーグラフ像よりも前記第２の方向に延びて視認される、
ことを特徴とする。
【発明の効果】
【０００７】
本発明によれば、バーグラフの見栄えが良い計器装置を提供することができる。
【図面の簡単な説明】
【０００８】
【図１】本発明の第１実施形態に係る計器装置の正面図である。
【図２】（ａ）は、図１に示す計器装置のＡ−Ａ線概略断面図である。（ｂ）は、図１に示す計器装置のＢ−Ｂ線概略断面図である。
【図３】第１実施形態に係る計器装置の概略分解斜視図である。
【図４】（ａ）は、第１実施形態に係る導光体の平面図である。（ｂ）は、第１実施形態の変形例に係る導光体の平面図である。
【図５】本発明の第２実施形態に係る計器装置の正面図である。
【図６】（ａ）は、図５に示す計器装置のＣ−Ｃ線概略断面図である。（ｂ）は、図５に示す計器装置のＤ−Ｄ線概略断面図である。
【図７】ルーバーの構成を説明するための図である。
【図８】第２実施形態に係る計器装置の概略分解斜視図である。
【発明を実施するための形態】
【０００９】
本発明の一実施形態に係る計器装置を、図面を参照して説明する。
【００１０】
（第１実施形態）
第１実施形態に係る計器装置は、車両に搭載され、所定の計測量を報知する図１に示す計器装置１である。具体的には、計器装置１は、ユーザ（主に、車両の運転者）に、指針式計器２０によって車両速度（車速）を報知すると共に、バーグラフメータ３０によって車両の燃料残量を報知する。
【００１１】
以下では、計器装置１の構成の理解を容易にするため、計器装置１を正視した場合（ユーザが計器装置１を正面から見て車速等を確認する場合）のユーザ側を「表側」とし、その反対側を「裏側」として、適宜、各部を説明する。
【００１２】
計器装置１は、図１〜図４（ａ）に示すように、回路基板１０と、指針式計器２０と、バーグラフメータ３０と、ホルダ４０と、意匠板５０と、筐体６０と、透過部材７０と、を備える。
【００１３】
回路基板１０は、計器装置１全体の動作を制御する制御部（図示せず）、後述する指針２１駆動用のモータ（図示せず）、バーグラフメータ３０の光源３３等が実装されたプリント回路板からなる。制御部は、ＣＰＵ（Central Processing Unit）等を備えるマイクロコントローラからなり、計器装置１の外部（例えば、計器装置１搭載車両のＥＣＵ（Electronic Control Unit））から供給される信号（車速、燃料残量等を示す信号）に応じて、指針式計器２０、バーグラフメータ３０を駆動制御する。
【００１４】
指針式計器２０は、回路基板１０に実装されたモータ（図示せず）と、モータによって回転する指針２１と、指針２１に指示される第１指標部２２と、を備える。
モータは、例えば、ステッピングモータからなり、制御部の制御のもとで、回転軸（図示せず）を回転させる。指針２１は、この回転軸に取り付けられており、回転軸の回転に伴って回転する。指針２１は、意匠板５０上を回転し、第１指標部２２を指示する。第１指標部２２は、意匠板５０に形成されている。第１指標部２２については、後に述べる。制御部は、外部から供給される車速のデータに応じた回転角で、モータの回転軸を回転させるので、指針２１は車速に応じた角度で回転して第１指標部２２を指示することができる。指針式計器２０は、指針２１と第１指標部２２とを対比判読させることで、車速をユーザに報知する。
【００１５】
バーグラフメータ３０は、図２（ａ）、（ｂ）及び、図３に示すように、液晶表示パネル３１と、第２指標部３２と、光源３３と、拡散板３４と、導光体３５と、を備える。
【００１６】
液晶表示パネル３１は、例えば、セグメント表示型の公知のものであり、透明電極が形成された１対のガラス基板の間に液晶材料が封入され、１対のガラス基板の各々の外側に偏光板が設けられたものである。液晶表示パネル３１は、回路基板１０の表側に配置されている。液晶表示パネル３１は、制御部の制御のもとで、各透明電極に外部計測量に応じた信号（電圧）が印加されると、計測量に応じて、図３に示すように、複数の表示要素（セグメント）３１ａが順次点灯し、計測量（一例として、車両の燃料残量）に応じたバーグラフ像３１０を表示する。このバーグラフ像３１０は、実際にユーザに視認されるバーグラフ３００（図１、図３参照）の基となる像である。
この実施形態では、導光体３５の作用によって、実際にユーザに視認されるバーグラフ３００は、液晶表示パネル３１に表示されているバーグラフ像３１０よりも所定の方向に延びたものとなる。これについては後に詳述する。
【００１７】
液晶表示パネル３１は、後述の窓部５１によって定められる可視領域（表示領域）内に、第１の方向Ｄ１（図１における縦方向）に沿って配列した複数の表示要素３１ａを有しており、これらの表示要素３１ａにより、計測量に応じて第１の方向Ｄ１に変位するバーグラフ像３１０を表示する。
バーグラフメータ３０は、バーグラフ像３１０（実際には、視認されるバーグラフ３００）の第１の方向Ｄ１における変位（増減）と、計測対象をユーザに認識させる第２指標部３２と、を対比判読させることにより、計測量を報知する。第２指標部３２は、意匠板５０に形成されている。第２指標部３２については、後に述べる。
【００１８】
光源３３は、液晶表示パネル３１を透過照明するものであり、回路基板１０の表側に実装されたＬＥＤ（Light Emitting Diode）からなる。光源３３は、１又は複数あり（一例として、図２（ｂ）では、３つ）、制御部の制御のもとで、適宜、発光する（例えば、白色に発光する）。
液晶表示パネル３１において、計測量に応じた電圧が透明電極に印加されると、該当する表示要素３１ａが透過状態となり、光源３３からの光を受けて透過照明される。なお、選択されていない（電圧が印加されていない）透明電極と、透明電極が形成されていない領域（つまり、背景領域）とは、光源３３からの光が透過されないように構成されている。
【００１９】
拡散板３４は、ポリカーボネート等の透光性樹脂からなり、表面に微細なレンズ等が形成されることによって拡散構造を有し、入射光の輝度のムラを緩和して、面状発光させるものである。拡散板３４は、液晶表示パネル３１と回路基板１０との間に配置されている。これにより、液晶表示パネル３１は、光源３３からの光により、均一に透過照明される。
【００２０】
導光体３５は、ポリカーボネート系樹脂、アクリル系樹脂等の樹脂材料からなり透光性を有する。導光体３５は、意匠板５０の表側に位置する。導光体３５は、例えば、意匠板５０の表側の面に、固着、接着等されることで固定されている。導光体３５の構造については、後に詳述する。
【００２１】
ホルダ４０は、液晶表示パネル３１、意匠板５０、及び拡散板６０を保持すると共に、光源３３からの光を液晶表示パネル３１に導くものであり、例えば、白色系の合成樹脂等からなる。ホルダ４０の裏側は、回路基板１０に取り付けられている。
【００２２】
意匠板５０は、透光性を有する板状の基材に、第１指標部２２、第２指標部３２、窓部５１等が形成されることで構成されている。
第１指標部２２は、意匠板５０において指針２１を取り囲んで位置する、目盛２２ａと数字２２ｂとを表す部分である（図１に示すように円弧状に配列されている）。窓部５１は、液晶表示パネル３１の可視領域を定める部分であり、第２指標部３２は、窓部５１の近傍に位置する文字３２ａ等からなる。
【００２３】
意匠板５０において、第１指標部２２、第２指標部３２及び窓部５１の周囲は、前記基材上に例えば黒色の遮光層が印刷、塗装等によって形成されていることで、遮光性を有している。
一方、第１指標部２２、第２指標部３２及び窓部５１の領域は、前記基材上に例えば透明（有色透明であってもよい）の透光層が印刷、塗装等によって形成されていることで、透光性を有している（いわゆる抜き文字状）。なお、第１指標部２２、第２指標部３２及び窓部５１の領域は、前記基材上に透明層及び遮光層が形成されていないことにより、透光性を有していてもよい。
【００２４】
窓部５１は、図１及び図３に示すように、液晶表示パネル３１が表示するバーグラフ像３１０に対応した第１の方向Ｄ１に延びる長方形状をなしている（図１では、点線で表している）。なお、窓部５１は、前記基材に形成された開口部であってもよい。
バーグラフメータ３０は、窓部５１によって規定される可視領域におけるバーグラフ像３１０の占める割合（実際には、導光体３５等を介して、ユーザに視認されるバーグラフ３００の増減）と、計測量に対応した第２指標部３２（ここでは、図１に示すように、Ｆ（Ｆｕｌｌ）とＥ（Ｅｍｐｔｙ）とを表す文字３２ａ）と、を対比判読させることで、燃料の残量を報知する。なお、第２指標部３２は、図形、記号等を含むものであってもよい。
【００２５】
図１に示す筐体６０は、所定の樹脂からなる箱形状の部材であり、その内部に、回路基板１０、指針式計器２０、バーグラフメータ３０、ホルダ４０、及び意匠板５０を収納する。筐体６０の表側には開口部６１が設けられ、この開口部６１を塞ぐように可視光透過性のあるガラス又は合成樹脂からなる透過部材７０が設けられている。これにより、指針式計器２０、バーグラフメータ３０等が視認可能となっている。
【００２６】
ここからは、導光体３５の構造について詳細に説明する。
導光体３５は、液晶表示パネル３１がバーグラフ像３１０を表示する（つまり、光源３３からの光によって透過表示する）ことによって、液晶表示パネル３１から出射されるバーグラフ像３１０を表す表示光Ｌを受け、受けた表示光Ｌを導光するものである。なお、図２（ａ）、（ｂ）及び図３では、表示光Ｌの代表的な経路を、模式的に矢印で示した。
【００２７】
導光体３５は、平板形状をなし、より詳しくは、図２（ａ）に示すように断面形状がクサビ形状をなしている。なお、図２（ａ）、（ｂ）では、導光体３５の断面を表すハッチングを省略した。
導光体３５は、裏側の面（つまり、意匠板５０側の面）である底面３５０と、底面３５０と反対側の面（つまり、透過部材７０側の面）である反射面３５１及び出射面３５２と、を有して形成されている。
【００２８】
導光体３５の一部は、底面３５０の法線方向Ｎ（図２（ａ）参照。同図における上下方向）から見て窓部５１を覆う覆い部３５ａとなっている。つまり、この覆い部３５ａは、複数の表示要素３１ａの表示領域（つまり、バーグラフ像３１０の表示領域）を表側から覆う。
導光体３５のその他の部分は、法線方向Ｎから見て、窓部５１の端から第１の方向Ｄ１と直交する第２の方向Ｄ２（この実施形態では、図１及び図２（ａ）における左方向）にはみ出す、はみ出し部３５ｂとなっている。
【００２９】
覆い部３５ａにおける底面３５０は、液晶表示パネル３１から出射された表示光Ｌを受ける受光面３５０ａとして機能する。
【００３０】
反射面３５１は、覆い部３５ａにおける表側（つまり、受光面３５０ａとは反対側）に形成される面である。この反射面３５１は、受光面３５０ａから導光体３５に入射した表示光Ｌを第２の方向Ｄ２へと効率よく反射させる傾斜面として形成されている。
具体的には、反射面３５１は、反射面３５１で反射した表示光Ｌを、主に、はみ出し部３５ｂにおける底面３５０方向に向かって反射させる。なお、反射面３５１は、図２（ａ）に示すように、図中右側に向かうに従って（つまり、はみ出し部３５ｂのはみ出し方向とは反対側に向かうに従って）、意匠板５０に近づく傾斜面として形成されている。
【００３１】
反射面３５１で反射された表示光Ｌは、主に、はみ出し部３５ｂの底面３５０に到達する。ここで、はみ出し部３５ｂの底面３５０には、到達した表示光Ｌを、表側（導光体３５の底面３５０側とは反対側）に反射させる反射部３５０ｂが形成されている。
【００３２】
反射部３５０ｂは、はみ出し部３５ｂの底面３５０に形成された微細な溝部（凹部）からなり、法線方向Ｎから見て、図４（ａ）に示すように、第１の方向Ｄ１に筋状に延び、且つ、第２の方向Ｄ２に沿って複数形成されている。なお、図４（ａ）では、反射部３５０ｂの溝を模式的に点線で表している。反射部３５０ｂは、図２（ａ）に示すように、例えば、はみ出し部３５ｂの底面３５０のほぼ全域に渡って形成された、断面Ｖ字状の溝である。なお、図３では、反射部３５０ｂを省略した。
【００３３】
出射面３５２は、はみ出し部３５ｂにおける表側（つまり、底面３５０とは反対側）に形成される面である。この出射面３５２は、図２（ａ）に示すように、窓部５１から第２の方向Ｄ２に離れるに従って意匠板５０（又は、液晶表示パネル３１）に近づく傾斜面として形成されている。
反射部３５０ｂで反射し、表側に向かった表示光Ｌは、この出射面３５２から出射され、透過部材７０を介して、ユーザに到達する。これにより、ユーザは、液晶表示パネル３１に表示されているバーグラフ像３１０よりも第２の方向Ｄ２に延びた（はみ出した）バーグラフ３００を視認する。
【００３４】
以下、どのようにして、バーグラフ像３１０よりも延びたバーグラフ３００が視認されるかを説明する。
【００３５】
液晶表示パネル３１が出射した、バーグラフ像３１０を表す表示光Ｌは、意匠板５０の窓部５１を介して、受光面３５０ａから導光体３５に入射する。導光体３５に入射した表示光Ｌは、図２（ａ）に示すように、反射面３５１で第２の方向Ｄ２（図２（ａ）では左方向）に向かって反射され、さらに反射部３５０ｂで反射され、表側に向かう。
このように、表示光Ｌは、第２の方向Ｄ２に伝搬されるため、結果として、ユーザに視認されるバーグラフ３００は、液晶表示パネル３１に表示されているバーグラフ像３１０よりも、第２の方向Ｄ２に延びて視認される。また、この際、はみ出し部３５ｂの先端（第２の方向Ｄ２側の端。図２（ａ）における左側）に向かうに連れて、液晶表示パネル３１から反射部３５０ｂへの光路が遠くなるため、液晶表示パネル３１側よりも第２の方向Ｄ２側の表示光Ｌの強度が小さくなり、ユーザに実際に視認されるバーグラフ３００は、第２の方向Ｄ２に向かうに連れて暗く、奥まって見える（図１及び図３では、バーグラフ３００のうち光の強度が小さい領域を、大きい領域に比べて、模式的に薄い色で表した）。
つまり、計器装置１によれば、ユーザに、バーグラフ３００が、液晶表示パネル３１に表示されているバーグラフ像３１０よりも、第２の方向Ｄ２に延びて視認されるだけでなく、濃淡によるグラデーションにより、立体的にも視認される。このため、計器装置１によれば、結果的に視認されるバーグラフ３００の見栄えがよい。
【００３６】
また、計器装置１では、導光体３５のはみ出し部３５ｂの裏側に、液晶表示パネル３１が配設されていないにもかかわらず、はみ出し部３５ｂの先端に渡るバーグラフ３００を視認させることができる。
これにより、はみ出し部３５ｂの裏側に、例えば、光源３３とは独立した光源（図示せず）により点灯する警告表示部を設けることも可能である。この警告表示部（いわゆる、ワーニング表示部）は、車両の警告情報を報知するためのものであり（例えば、車両のサイドブレーキをかけた際に点灯するエクスクラメーションマーク）、回路基板１０に図示しない光源（例えば、赤色発光するＬＥＤ）を設け、ホルダ４０に、この光源からの光を意匠板５０に導く照明室を形成し、意匠板５０の、この照明室に対応する位置に、例えば、抜き文字状に警告情報を報知するための図形、記号等を形成すればよい。
このように、計器装置１では、導光体３５のはみ出し部３５ｂの裏側に、液晶表示パネル３１が配設されていないため、はみ出し部３５ｂの裏側のスペースを有効利用できるという格別な効果を奏する。
【００３７】
また、導光体３５の出射面３５２が、図２（ａ）に示すように、窓部５１から第２の方向Ｄ２に離れるに従って意匠板５０（又は、液晶表示パネル３１）に近づく傾斜面として形成されていることにより、ユーザと出射面３５２との距離が、出射面３５２の位置によって異なるため、さらに、バーグラフ３００を立体的に視認させることが可能となる。
さらに、出射面３５２がこのように形成されていることにより、図２（ａ）に示すように、透過部材７０の主面（表側の面又は裏側の面）と出射面３５２とが平行でなくなっている。これにより、ユーザの視点方向と略一致する法線方向Ｎに沿って、透過部材７０を表側から透過した外光は、導光体３５の出射面３５２で、法線方向Ｎとは異なる方向に反射することになる。このため、ユーザへの外光反射を防止することもできる。
【００３８】
（第１実施形態の変形例）
なお、第１実施形態では、法線方向Ｎから見た場合の導光体３５の形状が、図４（ａ）に示すように矩形状である例を説明したがこれに限られない。導光体３５の形状は、図４（ｂ）に示すような扇状であってもよい。これは、例えば、バーグラフ像３１０（バーグラフ３００）の変位方向である第１の方向Ｄ１が、図４（ｂ）に示すように、円弧状に沿う方向である場合に有用である。この場合も同様に、第１の方向Ｄ１と直交する方向（つまり、第１の方向Ｄ１が沿う円弧を形作る仮想円の中心方向）である第２の方向Ｄ２に沿って、反射部３５０ｂを複数配列すればよい。
また、以上の説明では、導光体３５の出射面３５２を傾斜面として構成する例を示したが、出射面３５２を曲面（図示せず）として構成してもよい。このようにしても、バーグラフ３００を、ユーザにとって面白味があるように表示でき、且つ、ユーザへの外光反射を防止することができる。また、ユーザへの外光反射を防止するために、出射面３５２の表側の面上に、反射防止膜（例えば、フッ化マグネシウム等からなるＡＲ（Anti-Reflection）コート）を形成することで、さらに外光反射の防止効果を高めることもできる。なお、反射防止膜は、出射面３５２に加えて反射面３５１の表側の面上に形成してもよい。つまり、導光体３５の表側の全域（または、ほぼ全域）に渡って反射防止膜を形成してもよい。
【００３９】
（第２実施形態）
以上に説明した第１実施形態では、バーグラフ３００が、液晶表示パネル３１に表示されているバーグラフ像３１０よりも、バーグラフ３００の変位方向とは異なる第２の方向Ｄ２に延びて視認される例を示した。
ここからは、図８に示すようにバーグラフ２３００が、液晶表示パネル２３１に表示されているバーグラフ像２３１０よりも、バーグラフ２３００の変位方向である第１の方向Ｄ１に延びて視認される第２実施形態に係る計器装置を説明する。
【００４０】
第２実施形態に係る計器装置も、車両に搭載され、所定の計測量を報知するものである。以下では、第１実施形態と同様の構成については、同様の符号を付すとともに、第１実施形態とは異なる点を中心に説明する。
【００４１】
図５に示す、第２実施形態に係る計器装置２は、ユーザ（主に、車両の運転者）に、指針式計器２０によって車両速度（車速）を報知すると共に、バーグラフメータ２３０によって車両の燃料残量を報知する。
【００４２】
計器装置２は、図５〜図８に示すように、バーグラフメータ２３０を備える。
また、計器装置２は、第１実施形態と同様の構成からなる回路基板１０、指針式計器２０、ホルダ４０、意匠板５０、筐体６０、及び透過部材７０を備える。なお、意匠板５０は、第１実施形態とその構成は同様であるが、この第２実施形態では、後述する導光体２３５の表側に位置する。また、ホルダ４０は、液晶表示パネル２３１、意匠板５０、及び拡散板６０に加え、後述するルーバー２３６も保持する。
【００４３】
バーグラフメータ２３０は、図６（ａ）、（ｂ）及び、図８に示すように、液晶表示パネル２３１と、導光体２３５と、ルーバー２３６と、を備える。
また、バーグラフメータ２３０は、第１実施形態と同様の構成からなる第２指標部３２、光源３３、及び拡散板３４を備える。
【００４４】
液晶表示パネル２３１は、第１実施形態と同様な構成のものであるが、例えば、複数の表示要素（セグメント）のうち、図８に示すように、バーグラフ２３００の増加方向（図８における、第１の方向Ｄ１を示す矢印が向く方向とは反対方向）の端部における表示要素２３１ａのみを表示する。このような表示要素２３１ａにより計測量（一例として、車両の燃料残量）に応じたバーグラフ像２３１０が表示される。バーグラフ像２３１０をこのようにした理由は、後に述べる。
このバーグラフ像２３１０は、実際にユーザに視認されるバーグラフ２３００（図５、図８参照）の基となる像である。
【００４５】
バーグラフメータ２３０は、バーグラフ像２３１０（実際には、視認されるバーグラフ２３００）の第１の方向Ｄ１における変位と、計測対象をユーザに認識させる第２指標部３２と、を対比判読させることにより、計測量を報知する。
【００４６】
導光体２３５は、図６（ａ）、（ｂ）及び図８に示すように、意匠板５０の裏側に、適宜の方法により配設されている。導光体２３５の構造については、後に詳述する。
【００４７】
なお、意匠板５０における窓部５１は、この第２実施形態では、図５及び図８に示すように、ユーザに、結果的に視認されるバーグラフ２３００に対応した、第１の方向Ｄ１に延びる長方形状をなしている。
【００４８】
ルーバー２３６は、液晶表示パネル２３１と導光体２３５との間に位置し、液晶表示パネル２３１から出射され、ルーバー２３６に入射した表示光Ｌを、法線方向Ｎから第１の方向Ｄ１に傾かせて出射するものである（図６（ｂ）、図８参照）。
【００４９】
具体的には、ルーバー２３６は、ポリカーボネート等の合成樹脂からなる平板状の部材であり、図７に示すように、光を透過する光透過部２３６ａと、光を吸収する光吸収部２３６ｂと、光を透過する支持体２３６ｃと、を備える。光透過部２３６ａと光吸収部２３６ｂとは、図示するように交互に配列されており、両者の境界は、法線方向Ｎに対して斜めになるように（具体的には、法線方向Ｎから第１の方向Ｄ１に傾くように）構成されている。支持体２３６ｃは、交互に配列された光透過部２３６ａ及び光吸収部２３６ｂを、表側と裏側との両側から覆うようにして、支持するものであり、内部構造を保護する。
このように構成されたルーバー２３６により、ルーバー２３６に入射した表示光Ｌは、光透過部２３６ａを透過して、その光軸が、法線方向Ｎから第１の方向Ｄ１に傾いて出射される。
【００５０】
ここからは、導光体２３５の構造について詳細に説明する。
導光体２３５は、液晶表示パネル２３１から出射されるバーグラフ像２３１０を表す表示光Ｌを受け、受けた表示光Ｌを導光するものである。なお、図６（ａ）、（ｂ）及び図８では、表示光Ｌの代表的な経路を、模式的に矢印で示した。
【００５１】
導光体２３５は、平板形状に形成されている。なお、図６（ａ）、（ｂ）では、導光体２３５の断面を表すハッチングを省略した。導光体２３５は、裏側の面（つまり、ルーバー２３６側の面）である底面２３５０と、底面２３５０と反対側の面（つまり、意匠板５０側の面）である出射面２３５２と、を有して形成されている。
【００５２】
導光体２３５は、底面２３５０の法線方向Ｎ（図６（ａ）、（ｂ）等参照）から見て、窓部５１を裏側から覆う。つまり、導光体２３５は、バーグラフ像２３１０の表示領域を覆う。
【００５３】
導光体２３５の底面２３５０には、液晶表示パネル２３１から出射され、ルーバー２３６を介して、表示光Ｌが入射する。底面２３５０から導光体２３５に入射した表示光Ｌのうちの一部は、出射面２３５２をそのまま透過して表側に向かうが、その他は、出射面２３５２で反射し、裏側（つまり、底面２３５０側）に向かう。ここで、第２実施形態では、液晶表示パネル２３１から出射された表示光Ｌは、ルーバー２３６を通過することで、法線方向Ｎから第１の方向Ｄ１に傾いて導光体２３５に入射するため、出射面２３５２で反射しやすくなっている。
【００５４】
底面２３５０には、出射面２３５２で反射して到達した表示光Ｌを、表側に反射させる反射部２３５０ｂが形成されている。
【００５５】
反射部２３５０ｂは、底面２３５０に形成された微細な溝部（凹部）からなり、法線方向Ｎから見て、第２の方向Ｄ２に筋状に延び、且つ、図６（ｂ）に示すように第１の方向Ｄ１に沿って複数形成されている。反射部２３５０ｂは、図６（ｂ）に示すように、例えば、底面２３５０のほぼ全域に渡って形成された、断面Ｖ字状の溝である。
【００５６】
出射面２３５２は、その表側に位置する意匠板５０と平行な面として形成されている。反射部２３５０ｂで反射し、表側に向かった表示光Ｌは、この出射面２３５２から出射され、意匠板５０の窓部５１、及び、透過部材７０を介して、ユーザに到達する。このようにして、ユーザに到達した表示光Ｌにより、液晶表示パネル２３１に表示されているバーグラフ像２３１０よりも、第１の方向Ｄ１に延びたバーグラフ２３００が視認される。
以下、どのようにして、バーグラフ像２３１０よりも延びたバーグラフ２３００が視認されるかを説明する。
【００５７】
液晶表示パネル２３１が出射した、バーグラフ像２３１０を表す表示光Ｌは、ルーバー２３６を通過することで、法線方向Ｎから第１の方向Ｄ１に傾いた光になる。
ここで、第１の方向Ｄ１は、バーグラフ２３００が示す計測量の減少方向（図５における下方向）に一致していることが好ましい。というのは、第２実施形態では、液晶表示パネル２３１は、図８に示すように、バーグラフ２３００の増加方向端部における表示要素２３１ａを表示しているため、仮に、第１の方向Ｄ１をバーグラフ２３００が示す計測量の増加方向に一致させると、液晶表示パネル２３１が表示しているバーグラフ像２３１０よりも、バーグラフ２３００が計測量の増加方向に延びて視認されるため、計測量を、良好な精度で報知することが困難となるためである。
つまり、第２実施形態に係る液晶表示パネル２３１が、一例として、図８に示すように、バーグラフ２３００の増加方向端部における表示要素２３１ａのみを表示するものとした理由は、ルーバー２３６の光の規制方向を鑑みてのことである。
【００５８】
ルーバー２３６を通過して、法線方向Ｎから第１の方向Ｄ１に傾いた光は、底面２３５０から導光体２３５に入射し、このように傾いたことにより、効率良く、出射面２３５２で反射して、底面２３５０側に向かう。出射面２３５２で反射した表示光Ｌは、反射部２３５０ｂで効率良く表側に向かって反射し（つまり、反射部２３５０ｂで反射することにより、概ね法線方向Ｎに向かう光となる）、出射面２３５２から表側に出射される。
この際、図６（ｂ）に示した表示光Ｌの代表的な経路のように、液晶表示パネル２３１からルーバー２３６に到達した表示光Ｌは、ルーバー２３６及び反射部２３５０ｂの作用により、結果的に、第１の方向Ｄ１にずれて、出射面２３５２から出射される。これにより、表示光Ｌの結像する位置が、第１の方向Ｄ１にずれるため、結果として、ユーザに視認されるバーグラフ２３００は、液晶表示パネル２３１に表示されているバーグラフ像２３１０よりも、第１の方向Ｄ１に延びて視認される。
また、この際、バーグラフ像２３１０よりも、第１の方向Ｄ１にずれるに従って、液晶表示パネル２３１から反射部２３５０ｂへの光路が遠くなるため、表示光Ｌの強度が小さくなり、ユーザに実際に視認されるバーグラフ２３００は、第１の方向Ｄ１に向かうに連れて暗く、奥まって見える（図５及び図８では、バーグラフ２３００のうち光の強度が小さい領域を、大きい領域に比べて、模式的に薄い色で表した）。
【００５９】
つまり、計器装置２によれば、ユーザに、バーグラフ２３００が、液晶表示パネル２３１に表示されているバーグラフ像２３１０よりも、第１の方向Ｄ１に延びて視認されるだけでなく、濃淡によるグラデーションにより、立体的にも視認される。このため、計器装置２によれば、結果的に視認されるバーグラフ２３００の見栄えがよい。
【００６０】
なお、本発明は以上の実施形態（変形例も含む）及び図面によって限定されるものではない。本発明の要旨を変更しない範囲で、適宜、変更（構成要素の削除も含む）を加えることが可能である。以下にその一例を示す。
【００６１】
以上の説明では、バーグラフ像３１０，２３１０を表示する表示部が、液晶表示パネル３１，２３１０である例と示したが、これに限られない。
バーグラフ像を表示する表示部は、有機ＥＬ（Electro-Luminescence）ディスプレイ等の他の表示部であってもよい。また、複数の表示要素の各々に対応する複数の光源を回路基板１０に設け、且つ、これらの光源に対応した、独立した照明室（ライトガイド）をホルダ４０に形成するという構成を採用し、これらの光源を計測量に応じて順次点灯させることでバーグラフ像を表現（表示）してもよい。
【００６２】
以上の説明では、反射部３５０ｂ、２３５０ｂが断面Ｖ字状の溝部からなる例を示したがこれに限られない。
反射部は、その他の形状の溝部（例えば、断面円弧状の溝部）であってもよいし、溝部でなく、導光体の底面に、印刷、塗布等により形成された反射層（例えば、導光体の底面側の界面における反射率を変化させる透明インク層）であってもよい。このような場合であっても、反射部を、法線方向Ｎから見て、第１の方向Ｄ１に筋状に伸びるように微細に形成し、且つ、第２の方向Ｄ２に沿って複数配列するか、第２の方向Ｄ２に筋状に伸びるように微細に形成し、且つ、第１の方向Ｄ１に沿って複数配列すればよい。
【００６３】
また、図４（ａ）、（ｂ）等では、隣り合う反射部３５０ｂ間の幅（配列ピッチ）が均等であるように示したがこれに限られない（以下、反射部２３５０ｂも同様）。反射部３５０ｂの配列ピッチを均一にせず、変化させてもよい。また、反射部３５０ｂがＶ字溝からなる場合、その溝によって導光体に形成される傾斜面の角度（導光体の底面に対する角度）は、本発明の要旨を変更しない範囲においては、任意である。
【００６４】
以上の説明では、計器装置１，２が車両に搭載される例を示したが、計器装置１，２は、他の乗り物（航空機、船舶等）に搭載されるものであってもよい。また、バーグラフメータ３０，２３０が報知する計測量は、燃料残量に限られないことは言うまでもなく、水温計や、低燃費運転を補助するための計測量等であってもよい。
【００６５】
以上の説明では、本発明の理解を容易にするために、重要でない公知の技術的事項の説明を適宜省略した。
【符号の説明】
【００６６】
１，２…計器装置
１０…回路基板
２０…指針式計器
３０，２３０…バーグラフメータ
３００，２３００…バーグラフ
３１，２３１…液晶表示パネル
３１ａ，２３１ａ…表示要素
３１０，２３１０…バーグラフ像
３３…光源
３４…拡散板
３５，２３５…導光体
３５ａ…覆い部
３５ｂ…はみ出し部
３５０，２３５０…底面
３５０ａ…受光面
３５０ｂ，２３５０ｂ…反射部
３５１…反射面
３５２、２３５２…出射面
２３６…ルーバー
４０…ホルダ
５０…意匠板
５１…窓部
Ｄ１…第１の方向
Ｄ２…第２の方向
Ｎ…法線方向
【図２】
2014048071.tif 000003
【図４】
2014048071.tif 000004
【図６】
2014048071.tif 000005
【図７】
2014048071.tif 000006
【図１】
2014048071.tif 000007
【図３】
2014048071.tif 000008
【図５】
2014048071.tif 000009
【図８】
2014048071.tif 000010